(57)【要約】超音波振動で噴射材を噴霧する装置が提供される。超音波振動発生部の周辺温度を冷却して、超音波振動発生部が高温に露出する環境でも、超音波振動発生部の温度を一定に維持することができる超音波噴霧装置を提供する。超音波噴霧装置は、超音波を発生し、噴射材を霧化させる超音波振動発生部と、超音波振動発生部の中心を貫通する中心軸に沿って噴射材が移動する噴射流路を含み、噴射流路の一側端から噴射材の供給を受け、噴射流路の他側端には噴射材を噴射するノズルチップを含むノズル部と、超音波振動発生部を囲み、超音波振動発生部から発生した熱を冷却する熱交換部と、超音波振動発生部および熱交換部を囲み、内部に複数の熱交換室を有するハウジングとを含み、複数の熱交換室は、ハウジングの内部で超音波振動発生部の周辺に位置し、渦流の流れを案内する渦流室と、渦流室を囲み、渦流室と接する分離壁を有し、内部断熱空間を含む断熱室とを含む。
2016536116.tif 000002
【特許請求の範囲】
【請求項１】
超音波を発生し、噴射材を霧化させる超音波振動発生部と、
前記超音波振動発生部の中心を貫通する中心軸に沿って前記噴射材が移動する噴射流路を含み、前記噴射流路の一側端から前記噴射材の供給を受け、前記噴射流路の他側端には前記噴射材を噴射するノズルチップを含むノズル部と、
前記超音波振動発生部を囲み、前記超音波振動発生部から発生した熱を冷却する熱交換部と、
前記超音波振動発生部および前記熱交換部を囲み、内部に複数の熱交換室を有するハウジングと、
を含み、
前記複数の熱交換室は、
前記ハウジングの内部で前記超音波振動発生部の周辺に位置し、渦流の流れを案内する渦流室と、
前記渦流室を囲み、前記渦流室と接する分離壁を有し、断熱空間を含む断熱室と、
を含み、
前記熱交換部は、
前記超音波振動発生部の外側を冷却する冷却部
を含み、
前記冷却部は、
一端が前記ハウジングの外部に露出し、他端が前記ハウジングの内部の渦流室に位置し、前記超音波振動発生部に冷却空気の噴霧を案内する冷却管路を有する渦流形成部を含む超音波噴霧装置。
【請求項２】
前記ハウジングにおいて、下側中心部の高さは下側周辺部の高さより高く、前記超音波振動発生部の下部は前記下側中心部に位置する請求項１に記載の超音波噴霧装置。
【請求項３】
前記熱交換部は、
前記超音波振動発生部の周辺を断熱する断熱部をさらに含む請求項１に記載の超音波噴霧装置。
【請求項４】
前記渦流形成部は、渦流チューブ（ｖｏｒｔｅｘ  ｔｕｂｅ）である請求項１に記載の超音波噴霧装置。
【請求項５】
前記渦流室において、前記ハウジングの上側に傾斜して位置し、冷却空気の排出を案内する冷却空気排出部をさらに含む請求項１に記載の超音波噴霧装置。
【請求項６】
前記断熱部は、
前記断熱室に位置し、一定温度を維持する断熱材をさらに含む請求項３に記載の超音波噴霧装置。
【請求項７】
前記超音波振動発生部と電気的に連結し、電気エネルギーを通じて入力された周波数と出力を発生する超音波発振部と、
前記ノズル部の一側端において、前記ハウジングの外部に露出して位置し、内部に噴射材を収容する噴射材注入部と、
前記超音波発振部と電気的に連結する超音波発振部連結部と、
前記ハウジングの内部温度を検出する温度センサーと電気的に連結する温度センサー連結部と、
をさらに含む請求項１に記載の超音波噴霧装置。
【請求項８】
前記超音波振動発生部は、
前記超音波発振部と電気的に連結し、前記超音波発振部から発生する周波数と出力を通じて超音波振動エネルギーに変換する複数の圧電素子を含み、超音波を伝達する電極を含む請求項８に記載の超音波噴霧装置。
【請求項９】
前記ノズル部は、上部から下部にいくほど幅が狭くなる形状を有する請求項１に記載の超音波噴霧装置。
【発明の詳細な説明】
【技術分野】
【０００１】
超音波振動で噴射材を噴霧する装置が提供される。
【背景技術】
【０００２】
患者の治療を目的として使用される医薬品は、安全性を確保するために清浄な環境下で生産されなければならない。特に、注射剤は、製品が微生物などに汚染した場合、人体に致命的な副作用を発生させ得る。従って、注射剤は、生産の全ての工程が無菌状態で行われる必要がある。注射剤を生産する時に無菌状態を維持するために、製品と接触可能性のある全ての機械装置には、滅菌工程が先行される必要がある。そして、注射剤の生産工程は、無菌状態が維持されなければならない。このような制約された工程で一般に使用される滅菌方法としては、高温乾熱滅菌法、高圧蒸気滅菌法などがある。
【０００３】
徐放性微粒球注射剤は、一般に噴霧乾燥方法、Ｏ／Ｗエマルション法、Ｗ／Ｏ／Ｗエマルション法、相分離法などの工程を通じて活性物質を含有する生分解性高分子微粒球剤形で製造される。
【０００４】
徐放性微粒球注射剤は、噴霧乾燥方法で生産される時、超音波噴霧装置を利用して活性物質と生分解性高分子を含む溶液、エマルション、懸濁液などを乾燥機内部に微細な液滴で噴霧させることができる。
【０００５】
超音波噴霧装置は、電気エネルギーを通じて噴射材に周波数と出力を有する超音波振動を加えて振動エネルギーに変化させて噴霧する装置である。超音波を使用して噴射材を噴霧する場合、均一な粒径と細粒化に優れ、静粛な噴霧化が可能であるという長所がある。超音波噴霧装置は、エネルギー節約と公害防止だけでなく、流速の低いところと供給流量の少ないところでも利用可能である。超音波噴霧装置は、徐放性微粒球製造工程の他にも、半導体製造工程、燃料燃焼などの様々な産業分野に応用することができる。
【０００６】
しかし、超音波噴霧装置は、超音波素子が高温に露出する場合、超音波振動発生部にも影響を及ぼし、劣化現象が起こり得る。従って、超音波振動発生部の温度を一定に維持することが重要である。このような特性により、従来の超音波噴霧装置は、高圧蒸気滅菌器内で滅菌後、滅菌された噴霧乾燥機に装着した後、噴霧乾燥工程を実施した。しかし、それぞれの装置を別途滅菌した後、超音波噴霧装置を噴霧乾燥機に装着する作業により、滅菌された噴霧乾燥機と超音波噴霧装置が再汚染する結果をもたらすことがある。このような問題点を解決するために、超音波噴霧装置が噴霧乾燥機に装着された状態で、噴霧乾燥機を高温乾熱滅菌する場合に超音波素子を保護することができる方案が必要である。
【発明の概要】
【発明が解決しようとする課題】
【０００７】
従来の超音波噴霧装置の場合、超音波振動子で発生する熱を除去するために、常温の圧縮空気を利用して冷却を実施する。しかし、このような圧縮空気の場合、超音波噴霧装置が２５０℃以上の高温に露出する場合、その冷却効果が極めて微小である。また、このような圧縮空気を使用して十分な冷却効果を得るためには、追加的に空気を冷却させられる別途の設備が必要である。本発明の一実施例によると、別途の追加的設備を構築する必要なく、超音波振動発生部の周辺温度を冷却して、超音波振動発生部が高温に露出する環境でも、超音波振動発生部の温度を一定に維持することができる超音波噴霧装置を提供する。
【課題を解決するための手段】
【０００８】
超音波噴霧装置は、超音波を発生し、噴射材を霧化させる超音波振動発生部と、超音波振動発生部の中心を貫通する中心軸に沿って噴射材が移動する噴射流路を含み、噴射流路の一側端から噴射材の供給を受け、噴射流路の他側端には噴射材を噴射するノズルチップを含むノズル部と、超音波振動発生部を囲み、超音波振動発生部から発生した熱を冷却する熱交換部と、超音波振動発生部および熱交換部を囲み、内部に複数の熱交換室を有するハウジングとを含み、複数の熱交換室は、ハウジングの内部で超音波振動発生部の周辺に位置し、渦流の流れを案内する渦流室と、渦流室を囲み、渦流室と接する分離壁を有し、内部断熱空間を含む断熱室とを含む。
【０００９】
ハウジングにおいて、下側中心部の高さは下側周辺部の高さより高く、超音波振動発生部の下部は下側中心部に位置することができる。
【００１０】
熱交換部は、超音波振動発生部の外側を冷却する冷却部と、超音波振動発生部の周辺を断熱する断熱部とを含むことができる。冷却部は、一端がハウジングの外部に露出し、他端がハウジングの内部の渦流室に位置し、超音波振動発生部に冷却空気の噴霧を案内する冷却管路を有する渦流形成部を含むことができる。渦流形成部は、渦流チューブ（ｖｏｒｔｅｘ  ｔｕｂｅ）で形成することができる。渦流室において、ハウジングの上側に傾斜して位置し、冷却空気の排出を案内する冷却空気排出部をさらに含むことができる。
【００１１】
断熱部は、断熱室に位置し、一定温度を維持する断熱材をさらに含むことができる。
【００１２】
超音波振動発生部と電気的に連結し、電気エネルギーを通じて入力された周波数と出力を発生する超音波発振部と、ノズル部の一側端において、ハウジングの外部に露出して位置し、内部に噴射材を収容する噴射材注入部と、超音波発振部と電気的に連結する超音波発振部連結部と、ハウジングの内部温度を検出する温度センサーと電気的に連結する温度センサー連結部とをさらに含むことができる。
【００１３】
超音波振動発生部は、超音波発振部と電気的に連結し、超音波発振部から発生する周波数と出力を通じて超音波振動エネルギーに変換する複数の圧電素子を含み、超音波を伝達する電極を含むことができる。ノズル部は、上部から下部にいくほど幅が狭くなる形状を有することができる。
【発明の効果】
【００１４】
超音波振動発生部が高温に露出する環境でも、超音波振動発生部の周辺温度を一定に維持することができる効果がある。
また、超音波噴霧装置の長時間の使用にも特性の変化がなく安定した噴射材噴霧を可能にする効果がある。
【図面の簡単な説明】
【００１５】
【図１】本発明の実施例に係る超音波噴霧装置の斜視図である。
【図２】本発明の実施例に係る超音波噴霧装置を概略的に示す部分断面図である。
【図３】本発明の実施例に係る超音波噴霧装置の断熱室に断熱材が除去された状態を示す図面である。
【図４】本発明の実施例に係る超音波噴霧装置の渦流室で冷却空気の流れを概略的に示す図面である。
【発明を実施するための形態】
【００１６】
ここで使用される専門用語は、単に特定実施例を言及するためのものであり、本発明を限定することを意図しない。ここで使用される単数形態は、文句がこれと明確に反対の意味を表さない限り、複数形態も含む。明細書で使用される「含む」の意味は、特定特性、領域、整数、段階、動作、要素および／または成分を具体化し、他の特定特性、領域、整数、段階、動作、要素、成分および／または群の存在や付加を除外するものではない。
【００１７】
他に定義してはいないが、ここで使用される技術用語および科学用語を含む全ての用語は、本発明が属する技術分野で通常の知識を有する者が一般に理解する意味と同一の意味を有する。通常使用される辞典に定義された用語は、関連技術文献と現在開示された内容に符合する意味を有すると追加解釈され、定義しない限り、理想的であるか非常に公式的な意味として解釈されない。
【００１８】
以下、添付の図面を参照して、本発明の実施例について本発明が属する技術分野で通常の知識を有する者が容易に実施することができるように詳しく説明する。しかし、本発明は、様々な異なる形態に具現されることができ、ここで説明する実施例に限らない。
【００１９】
図１は、本発明の実施例に係る超音波噴霧装置の斜視図であり、図２は、本発明の実施例に係る超音波噴霧装置１０を概略的に示す部分断面図であり、超音波振動発生部１０２、ノズル部１０６、熱交換部、そしてハウジング１００の結合関係を示すものである。図３は、超音波噴霧装置１０の断熱室１３２に断熱材１３０が除去された状態を示す図面であり、図４は、本発明の実施例に係る超音波噴霧装置１０の渦流室１２４で冷却空気１２６の流れを概略的に示す図面である。
【００２０】
図１〜図４を参照すると、本発明の実施例に係る超音波噴霧装置１０は、超音波振動発生部１０２、ノズル部１０６、熱交換部、ハウジング１００を含む。超音波噴霧装置１０は、超音波を利用して溶液、エマルション、懸濁液などを噴霧乾燥して微細粒子の食品および医薬品を製造する噴霧乾燥工程、無菌工程などにおいて、２５０℃以上の高温に長時間露出しても、超音波噴霧装置１０の内部に位置する超音波振動発生部１０２を高温で保護することができる冷却システムを含む。超音波噴霧装置１０は、超音波噴霧ノズルが装着された状態で噴霧乾燥機の高温乾熱滅菌を進行しても、超音波振動発生部１０２の電子的な特性を保護することができる。
【００２１】
超音波振動発生部１０２は、超音波を発生し、噴射材を霧化させる超音波振動子を含む。超音波振動発生部１０２は、円筒形構造を有することができる。超音波振動発生部１０２は、超音波発振部（図示せず）と電気的に連結し、超音波発振部から発生する周波数と出力を通じて超音波振動エネルギーに変換する複数の圧電素子と超音波を伝達する電極を含む。複数の圧電素子と電極は、中空状態で積層して介在されることができる。
【００２２】
ノズル部１０６は、超音波振動発生部１０２の中心を貫通する中心軸に沿って噴射材が移動する噴射流路を含む。ノズル部１０６は、噴射流路の一側端から噴射材の供給を受け、噴射流路の他側端には超音波振動発生部１０２によって霧化した噴射材を噴射するノズルチップを含む。ノズル部１０６は、上部から下部にいくほど幅が狭くなる形状を有し、超音波振動発生部１０２によって振動する噴射材の振幅と出力を向上させて噴霧することができる。
【００２３】
超音波振動発生部１０２を囲み、超音波振動発生部１０２から発生する熱を冷却することができる。熱交換部は、超音波振動発生部１０２の外側を冷却する冷却部と、超音波振動発生部１０２の周辺を断熱する断熱部とを含む。熱交換部、冷却部、断熱部のそれぞれは、円筒形構造を有することができる。冷却部は、一端がハウジング１００の外部に露出し、他端がハウジング１００の内部の渦流室１２４に位置し、超音波振動発生部１０２に冷却空気１２６の噴霧を案内する冷却管路１２２を有する渦流形成部１２０を含む。渦流室１２４は、円筒形構造を有することができる。渦流形成部１２０は、渦流チューブ（ｖｏｒｔｅｘ  ｔｕｂｅ）で形成することができる。渦流チューブは、冷却装置として使用され、渦流チューブに投入された圧縮空気は、高速回転し、この時発生した渦流空気（ｖｏｒｔｅｘ  ａｉｒ）により冷却管路１２２を通じて渦流室１２４に冷たい空気が吐き出される。
【００２４】
渦流室１２４において、渦流チューブを通じて噴射された冷却空気１２６は、発熱した状態の超音波振動発生部１０２を冷却させて外部に排出する。このため、ハウジング１００には冷却空気排出部１１０をさらに含む。冷却空気排出部１１０は、渦流室１２４でハウジング１００の上側に傾斜して位置し、渦流形成部１２０から噴霧して超音波振動発生部１０２を冷却した冷却空気１２６の排出を案内する。
【００２５】
断熱部は、断熱室１３２に位置し、一定温度を維持する断熱材１３０をさらに含むことができる。断熱室１３２と断熱材１３０のそれぞれは、円筒形構造を有することができる。断熱材１３０は、超音波振動発生部１０２の周辺の温度が外部に伝達されないようにする機能をする。断熱材１３０は、断熱室１３２に残留する空気を含み、石綿、ガラス綿、石英綿、硅藻土、炭酸マグネシウム粉末、マグネシア粉末、ケイ酸カルシウム、パーライトなどの製品で具現することができる。断熱材１３０は、素材自体の熱伝導率が小さいものが好ましく、必要に応じて熱伝導率を小さくするために、多孔質となるように形成して気孔中の空気の断熱性を利用することもできる。断熱材１３０の素材は、有機質と無機質で形成することができる。本発明の実施例のように、超音波振動発生部１０２の周辺の温度に耐えられる条件を満せば、断熱材１３０の素材は、単一材料または混合材料の使用も好ましい。
【００２６】
ハウジング１００は、ノズルチップ部分が開放した状態のノズル部１０６と超音波振動発生部１０２、そして熱交換部を囲み、内部に複数の熱交換室１２４、１３２を有する。ハウジング１００は、上部がフランジで覆われ、下部の中心部が凹状であり、内部が中空型の円筒形構造を有することができる。複数の熱交換室１２４、１３２は、渦流室１２４と断熱室１３２を含む。渦流室１２４は、ハウジング１００の内部で超音波振動発生部１０２の周辺に位置し、渦流の流れを案内する渦流形成空間である。渦流室１２４は、ハウジング１００の中心部で超音波振動発生部１０２の長さよりさらに長く形成される。渦流室１２４の下部でノズル部１０６を囲む部分には保護壁１０３が形成される。渦流室１２４に噴射する冷却空気１２６は、超音波振動発生部１０２を囲むようになり、発熱した超音波振動発生部１０２を十分に冷却することができる。断熱室１３２は、ハウジング１００の側部で渦流室１２４と接する分離壁１０１を有し、断熱空間を含む。断熱室１３２は、ハウジング１００の内側外壁側で渦流室１２４を囲む形状を有し、ハウジング１００の長さ方向に伸張する。断熱室１３２に断熱材１３０が介在されることにより、渦流室１２４の冷却した温度を一定に維持することができる。
【００２７】
ハウジング１００は、超音波振動発生部１０２が位置する下側中心部の高さが下側周辺部の高さよりさらに高く位置し、超音波振動発生部１０２の下部は下側中心部に位置し、下側周辺部に囲まれるように形成される。つまり、ハウジング１００の下部形状は、超音波振動発生部１０２が位置する中心部が凹状を有する。超音波振動発生部１０２が外部に露出することを最少化することにより、周辺環境から超音波振動発生部１０２に伝達され得る温度の影響を減少させることができる。超音波振動発生部１０２がハウジング１００の内側に位置するようにハウジング１００の下部形状を凹状に形成することで、超音波振動発生部１０２の冷却効率を極大化することができる。
【００２８】
一方、本発明の実施例に係る超音波噴霧装置１０は、超音波発振部、噴射材注入部１０４、超音波発振部連結部１１２、温度センサー連結部１１４をさらに含む。超音波発振部は、超音波振動発生部１０２と電気的に連結し、電気エネルギーを通じて入力された周波数と出力を発生する。噴射材注入部１０４は、ノズル部１０６の一側端でハウジング１００の外部に露出して位置し、内部に噴射材を収容する。超音波発振部連結部１１２は、超音波発振部と電気的に連結する連結部である。温度センサー連結部１１４は、ハウジング１００の内部温度を検出する温度センサーと電気的に連結する連結部である。
【００２９】
図１〜図４を参照して、本発明の実施例に係る超音波噴霧装置１０の冷却動作および断熱動作を説明する。
【００３０】
超音波振動発生部１０２は、２００℃以上の高温に露出する場合、電子的な特性を失い、正常的な作動ができなくなる。このような超音波振動発生部１０２は、高温に接触すれば温度上昇で周波数が低くなり、静電容量が高くなることにより正常的な超音波発振が行われない。従って、超音波振動発生部１０２の周辺温度が一定に維持されなければならない。例えば、徐放性微粒球注射剤を製造する工程で無菌注射剤を生産する場合、超音波ノズルをオートクレーブ（Ａｕｔｏｃｌａｖｅ；加圧滅菌器）で滅菌した後、噴霧乾燥機に装着する。しかし、このような作業により設備汚染の危険性があるので、超音波ノズルが装着した状態で噴霧乾燥機を滅菌（乾熱滅菌）する必要がある。つまり、高温乾熱滅菌温度の２５０℃以上でも、超音波振動発生部１０２を保護することができる方案が必要である。
【００３１】
本発明の実施例は、高温乾熱滅菌温度以上でも超音波振動発生部１０２を保護することができる超音波噴霧装置１０を提供する。図１〜図４を参照すると、渦流室１２４と断熱室１３２を具備したハウジング１００に渦流チューブが装着され、断熱材１３０が介在した状態で渦流室１２４に冷却空気１２６を噴射する。そして、渦流室１２４の周辺に介在する断熱材１３０の機能により、発熱した超音波振動発生部１０２の冷却と断熱を維持することができる。
【００３２】
先ず、超音波振動発生部１０２が発熱した場合を仮定して、超音波噴霧装置１０の冷却と断熱維持動作を説明する。超音波振動発生部１０２が発熱した状態で、ハウジング１００内の渦流室１２４に具備される渦流チューブの冷却管路１２２を通じて冷却空気１２６を超音波振動発生部１０２方向に排出する。超音波振動発生部１０２に排出する冷却空気１２６は、発熱した超音波振動発生部１０２を冷却する冷媒として使用される。冷却空気１２６は、渦流室１２４に形成された気流により冷却動作を行い、冷却空気排出部１１０を通じてハウジング１００の外部に排出する。この時、断熱材１３０は、渦流室１２４の冷却した温度を一定に維持する機能をする。従って、超音波振動発生部１０２で発生する熱がハウジング１００の外部に伝達されることを防止することができ、渦流室１２４に位置する超音波振動発生部１０２とハウジング１００との間では、冷却空気１２６の冷却作用によって超音波振動発生部１０２の温度が上昇しなくなり、超音波振動発生部１０２の冷却効率を上昇させることができる。
【００３３】
上記のように超音波噴霧装置１０の滅菌工程を進行する時、常温の乾燥空気を、渦流チューブを利用して渦流室１２４の内部に１０℃以下の冷たい空気を供給すれば、ハウジング１００の外部は、２００℃以上の高温に露出しても、超音波振動発生部１０２は高温に露出しないように保護可能である。本発明の実施例に係る超音波噴霧装置１０は、高温乾熱滅菌が可能であり、冷却部と断熱材１３０との組み合わせ構成により、高温に露出する環境でも、一定に超音波振動発生部１０２の周辺温度を維持して、長時間の使用にも特性の変化がなく安定した噴霧が可能である。
【００３４】
以上、添付の図面を参照して本発明の実施例を説明したが、本発明が属する技術分野で通常の知識を有する者は、本発明がその技術的な思想や必須的な特徴を変更せずに他の具体的な形態で実施可能なことが理解できるであろう。例えば、ハウジング１００全体を囲むことで、ハウジング１００を外部環境から保護し、超音波振動発生部１０２の周辺温度をより効率的に維持することができる補助ハウジングをさらに含んでもよい。これも、本発明の範囲に属することは当然である。
【００３５】
従って、以上で記述した実施例は、全ての面で例示的なものであり、限定的ではないと理解すべきである。本発明の範囲は、発明の詳細な説明よりは後述する請求の範囲によって表され、請求の範囲の意味および範囲、そしてその均等概念から導出される全ての変更または変更された形態が本発明の範囲に含まれると解釈されなければならない。
【図１】
2016536116.tif 000003
【図２】
2016536116.tif 000004
【図３】
2016536116.tif 000005
【図４】
2016536116.tif 000006
【国際調査報告】
2016536116.tif 000007
2016536116.tif 000008
2016536116.tif 000009
2016536116.tif 000010